Podtech/llm-jp-corpus-v4-ja_patent huggingface dataset:
【手続補正書】
【提出日】平成15年5月27日(2003.5.27)
【手続補正１】
【補正対象書類名】明細書
【補正対象項目名】特許請求の範囲
【補正方法】変更
【補正の内容】
【特許請求の範囲】
【請求項１】
インヴィーヴォの部位を監視するためのシステムであって、前記システムは、
インヴィーヴォにて固定化されるように形成されたハウジングと、
少なくとも１つの検知デバイスであり、前記ハウジングに接続された検知デバイスと、
送信機と
を具備するシステム。
【請求項２】
バッテリーを具備する、請求項１に記載のシステム。
【請求項３】
前記検知デバイスは、光学スキャナー、ｐＨメーター、体温計、組織の電気伝導度のセンサまたはイメージセンサからなるグループから選択される、請求項１に記載のシステム。
【請求項４】
前記検知デバイスは、イメージセンサである、請求項１に記載のシステム。
【請求項５】
前記送信機は、無線送信機である、請求項１に記載のシステム。
【請求項６】
前記ハウジングは、インヴィーヴォ部位に縫い付けられるように形成されている、請求項１に記載のシステム。
【請求項７】
前記ハウジングは、縫合糸を通すための少なくとも１個のリングを該ハウジングの外周上に具備する、請求項１に記載のシステム。
【請求項８】
前記ハウジングは、該ハウジングの外周のまわりに凹所を具備し、前記凹所は、縫合糸を受けるように形成された、請求項１に記載のシステム。
【請求項９】
前記ハウジングは、該ハウジングを身体組織に繋ぎ止めるための手段を受けるように形成されたくぼみを具備する、請求項１に記載のシステム。
【請求項１０】
前記ハウジングは、該ハウジングを身体組織に繋ぎ止めるための手段を具備する、請求項１に記載のシステム。
【請求項１１】
前記ハウジングを身体組織に繋ぎ止めるための前記手段は、ピン、留め金、縫い糸、締め具および吸引手段からなるグループから選択される、請求項１０に記載のシステム。
【請求項１２】
ＧＩ系内の部位を監視するための、請求項１に記載のシステム。
【請求項１３】
受信システムを具備する、請求項１に記載のシステム。
【請求項１４】
前記検知デバイスから得たデータを処理するための処理ユニットをさらに具備する、請求項１３に記載のシステム。
【請求項１５】
前記検知デバイスから得たデータを処理し且つ前記検知デバイスから得たデータに従って該検知デバイスを制御するための処理ユニットをさらに具備する、請求項１３に記載のシステム。
【請求項１６】
前記受信システムは、送信されたデータを表示するためのディスプレイを具備する、請求項１３に記載のシステム。
【請求項１７】
外部的に誘導可能な電源をさらに具備する、請求項１に記載のシステム。
【請求項１８】
手術後の監視のためのシステムであって、
インヴィーヴォにおける施術部位の近傍にて固定化されるように形成されたハウジングと、
少なくとも１つの検知デバイスであり、前記ハウジングに接続された検知デバイスと、
送信機と
を具備するシステム。
【請求項１９】
前記検知デバイスは、イメージセンサである、請求項１８に記載のシステム。
【請求項２０】
受信システムを具備する、請求項１８に記載のシステム。
【請求項２１】
ドレインカテーテルであって、
末端および基端であって、前記末端は患者の身体内に挿入され且つ前記基端は前記患者の身体の外部にある末端および基端と、
前記カテーテルの前記末端に取り付けられたイメージングデバイスと
を具備するカテーテル。
【請求項２２】
前記イメージングデバイスは、少なくとも１つのイメージセンサと、少なくとも１つの照明光源とを備えている、請求項２１に記載のカテーテル。
【請求項２３】
バッテリーをさらに具備する、請求項２２に記載のカテーテル。
【請求項２４】
前記イメージングデバイスは、周囲環境条件における変化に応答して光学的に変化され得る検出器を備えている、請求項２１に記載のカテーテル。
【請求項２５】
送信機をさらに具備する、請求項２１に記載のカテーテル。
【請求項２６】
前記送信機は、無線送信機である、請求項２５に記載のカテーテル。
【請求項２７】
インヴィーヴォ部位を監視するための方法であって、前記方法は、
インヴィーヴォ部位の近傍において検知デバイスを固定化するステップと、
前記インヴィーヴォ部位を検知するステップと
の各ステップを有する方法。
【請求項２８】
検知されたデータを送信するステップをさらに有する、請求項２７に記載の方法。
【請求項２９】
前記検知デバイスは、イメージングデバイスである、請求項２７に記載の方法。
【請求項３０】
前記インヴィーヴォ部位は、ＧＩ系内にある、請求項２７に記載の方法。
【請求項３１】
前記インヴィーヴォ部位は、小腸内である、請求項２７に記載の方法。
【請求項３２】
前記インヴィーヴォ部位の検知されたデータを受信するステップを有する、請求項２７に記載の方法。
【請求項３３】
前記検知されたデータを受信するステップは、外部的になされる、請求項３２に記載の方法。
【請求項３４】
インヴィーヴォ部位を監視するための方法であって、前記方法は、
インヴィーヴォ部位の近傍においてイメージングデバイスを固定化するステップと、
前記インヴィーヴォ部位をイメージングするステップと
の各ステップを有する方法。
【請求項３５】
イメージデータを送信するステップをさらに有する、請求項３４に記載の方法。
【請求項３６】
前記インヴィーヴォ部位は、ＧＩ系内である、請求項３４に記載の方法。
【請求項３７】
前記インヴィーヴォ部位は、小腸内である、請求項３４に記載の方法。
【請求項３８】
前記固定化は、手術の間またはその直後に行なわれる、請求項３４に記載の方法。
【請求項３９】
インヴィーヴォ部位を監視するための方法であって、前記方法は、
小腸内においてイメージングデバイスを固定化するステップと、
前記小腸の少なくとも一部をイメージングするステップと
の各ステップを有する方法。
【請求項４０】
イメージデータを送信するステップをさらに有する、請求項３９に記載の方法。
【請求項４１】
インヴィーヴォ部位の施術後監視のための方法であって、前記方法は、
外科処置の間またはその直後に、インヴィーヴォ部位の近傍において検知デバイスを固定化するステップと、
前記インヴィーヴォ部位を検知するステップと
の各ステップを有する方法。
【請求項４２】
検知されたデータを送信するステップをさらに有する、請求項４１に記載の方法。
【請求項４３】
前記インヴィーヴォ部位は、ＧＩ系内である、請求項４１に記載の方法。
【請求項４４】
前記インヴィーヴォ部位は、小腸内である、請求項４１に記載の方法。
【請求項４５】
前記検知するステップは、イメージングするステップを含む請求項４１に記載の方法。
【手続補正書】
【提出日】平成15年11月27日(2003.11.27)
【手続補正１】
【補正対象書類名】特許請求の範囲
【補正対象項目名】全文
【補正方法】変更
【補正の内容】
【特許請求の範囲】
【請求項１】
履き物型式の物品をスポーツ乗り具の表面を備える第２の物品に対して操作可能且つ着脱自在に取り付け固定するように構成された万能締め具装置において、
前記第２の物品に取り付けるように構成された第１のプレート組立体であって、その第１のプレート組立体の前部に配置されたつま先保持掛け金と、その第１のプレート組立体の後部に配置されたかかと保持掛け金と、該つま先保持掛け金及びかかと保持掛け金間に配置され、該つま先保持掛け金又はかかと保持掛け金の内の少なくとも１つの係合を解除する第１の解除部とを備える前記第１のプレート組立体と、
前記履き物型式の物品に取り付けるように構成された第２のプレート組立体であって、その第２のプレート組立体の前部に配置されたつま先クリップと、その第２のプレート組立体の後部に配置されたかかとクリップとを備える前記第２のプレート組立体とを備え、
前記第２のプレート組立体は、前記つま先クリップが前記つま先保持掛け金内に係合し、且つ前記かかとクリップが前記かかと保持掛け金内に係合して、前記第１のプレート組立体内に着脱自在に取り付け固定されるように構成され、且つ、
前記第１の解除部は、前記つま先保持掛け金又はかかと保持掛け金の内の少なくとも１つを前記第２のプレート組立体から移動自在に係合解除するよう構成されることを特徴とする万能締め具装置。
【請求項２】
請求項１記載の万能締め具装置において、
前記第１のプレート組立体は、前記つま先保持掛け金及びかかと保持掛け金間であって、前記第１の解除部とは反対の側部に配置された第２の解除部を更に備え、
該第１の解除部は該つま先保持掛け金に対して連結され、該第２の解除部は該かかと保持掛け金に対して連結されて、該第１の解除部は該つま先保持掛け金を制御し、該第２の解除部は該かかと保持掛け金を制御することを特徴とする万能締め具装置。
【請求項３】
請求項１記載の万能締め具装置において、
前記第１のプレート組立体は雪上スキーに取り付けるように構成され、前記第２のプレート組立体は雪上スキーブーツに取り付けるように構成されることを特徴とする万能締め具装置。
【請求項４】
請求項１記載の万能締め具装置において、
前記第１のプレート組立体はスノーボードに取り付けるように構成され、前記第２のプレート組立体はスノーボード・ブーツに取り付けるように構成されることを特徴とする万能締め具装置。
【請求項５】
請求項１記載の万能締め具装置において、
前記第１のプレート組立体は、前記つま先クリップを前記つま先保持掛け金内に保持するとともに該つま先クリップ及びつま先保持掛け金間の力が該解除張力を超えることにより該つま先クリップを該つま先保持掛け金から自動的に解除すべく前記解除張力を調整するように構成されたつま先調整部品を備えることを特徴とする万能締め具装置。
【請求項６】
請求項１記載の万能締め具装置において、
前記第１のプレート組立体は、前記かかとクリップを前記かかと保持掛け金内に保持するとともに該かかとクリップ及びかかと保持掛け金間の力が該解除張力を超えることにより該かかとクリップを該かかと保持掛け金から自動的に解除すべく前記解除張力を調整するように構成されたかかと調整部品を備えることを特徴とする万能締め具装置。
【請求項７】
請求項１記載の万能締め具装置において、
前記つま先保持掛け金は、第１の方向へ付勢されたバネであって、前記第１の解除部の制御により、第１の位置及び第２の位置間で操作可能であることを特徴とする万能締め具装置。
【請求項８】
請求項２記載の万能締め具装置において、
前記かかと保持掛け金は、第１の方向へ付勢されたバネであって、前記第２の解除部の制御により、第１の位置及び第２の位置間で操作可能であることを特徴とする万能締め具装置。
【請求項９】
請求項１記載の万能締め具装置において、
前記第２のプレート組立体に強固に連結され、前記履き物型式の物品に着脱自在に取り付けられるブーツ支持部を更に備えることを特徴とする万能締め具装置。
【請求項１０】
請求項１記載の万能締め具装置において、
前記第１のプレート組立体は、前記スポーツ乗り具の表面に取り付けるように構成された連続するベースプレートを備え、前記第２のプレート組立体は、前記履き物型式の物品に取り付けるように構成された連続する足プレートを備えることを特徴とする万能締め具装置。
【請求項１１】
請求項２記載の万能締め具装置において、
前記第１の解除部及び第２の解除部は夫々、各第１の解除レバー及び第２の解除レバーを備え、該各第１の解除レバー及び第２の解除レバーは、前記第１のプレート組立体内に前記第２のプレート組立体を固定するために第１の位置に固定されるように操作可能であり、且つ、該第１のプレート組立体内から該第２のプレート組立体を解除するための第２の位置へ移動されるよう操作可能であることを特徴とする万能締め具装置。
【請求項１２】
請求項１１記載の万能締め具装置において、
前記第１の解除レバー及び第２の解除レバーは、夫々の解除切欠きに向かって付勢されるように構成され、該解除切欠きは、該第１の解除レバー及び第２の解除レバーが前記第１の位置にあるとき前記第１のプレート組立体内に前記第２のプレート組立体を保持するとともに、該第１の解除レバー及び第２の解除レバーの内少なくとも１つが第２の位置にあるとき該第１のプレート組立体から該第２のプレート組立体を解除するように構成されることを特徴とする万能締め具装置。
【請求項１３】
請求項１２記載の万能締め具装置において、
前記第１のプレート組立体は、前記第１の解錠レバー及び第２の解除レバーの内少なくとも１つに対して操作可能に連結され、且つ、該第１のプレート組立体内の前記第２のプレート組立体の係合を固定することを容易にするように構成された少なくとも１つのバネ部材を備えることを特徴とする万能締め具装置。
【請求項１４】
請求項１記載の万能締め具装置において、
前記第１のプレート組立体は、前記第２のプレート組立体の係合及び係合解除をするための解除張力を制御するように構成された少なくとも１つのバネ部材を備えることを特徴とする万能締め具装置。
【請求項１５】
請求項１記載の万能締め具装置において、
前記第１のプレート組立体は、前記第１の解除を少なくとも部分的に制御するように構成された少なくとも１つのバネ部材を備えることを特徴とする万能締め具装置。
【請求項１６】
請求項１記載の万能締め具装置において、
前記第２のプレート組立体は、前記第１のプレート組立体の部分内に係合的に収容されるように構成されることを特徴とする万能締め具装置。
【請求項１７】
請求項１記載の万能締め具装置において、
前記第２のプレート組立体は、前記第１のプレート組立体に対して作用し且つ最小保持力を超えた該第２のプレート組立体の角方向の力により、該第１のプレート組立体から解除可能であるように構成されることを特徴とする万能締め具装置。
【請求項１８】
請求項１記載の万能締め具装置において、
前記第１のプレート組立体は、前記第２のプレート組立体の上プレート近傍に配置されるよう構成される前記つま先保持掛け金及びかかと保持掛け金間の中間に配置されるカバープレートを備えることを特徴とする万能締め具装置。
【手続補正書】
【提出日】平成17年2月8日(2005.2.8)
【手続補正１】
【補正対象書類名】特許請求の範囲
【補正対象項目名】全文
【補正方法】変更
【補正の内容】
【特許請求の範囲】
【請求項１】
前面及び裏面、中央部分、二つの脚部分、並びに該中央部分中にあってブシュを受容する形状と寸法にされてる複数の骨ねじ穴を有するＹ字形プレート部分と、
該脚部分の少なくとも一つの自由端部に隣接して前面に配置された少なくとも一つのクランプ部分とを含み、
そのプレートが後頭に合致するように曲げ可能であることを特徴とする後頭プレート。
【請求項２】
前記中央部分が上部、下部、及びそれらの間の溝付き部を含み、前記上部が一つの骨ねじ穴を有する請求項１記載の後頭プレート。
【請求項３】
前記溝付き部が撓み可能であり、前記上部が前記下部に対し或る角度で配置されることを可能にする請求項２記載の後頭プレート。
【請求項４】
前記脚部分及び前記中央部分の少なくとも一部が非平行な平面中に配置される請求項２記載の後頭プレート。
【請求項５】
前記平面が約１６０°〜約１７５°の角度で交差する請求項４記載の後頭プレート。
【請求項６】
前記平面が約１７０°の角度で交差する請求項５記載の後頭プレート。
【請求項７】
前記クランプ部分がピボット部材及びクランププレートを含み、前記クランププレートが前記ピボット部材のまわりに旋回自在である請求項２記載の後頭プレート。
【請求項８】
前記クランププレートが更に穴を含み、前記ピボット部材が前記穴中に受容される請求項７記載の後頭プレート。
【請求項９】
前記ピボット部材が更に鋸歯状突起を備えたテーパ付き部分を含み、前記脚部分が更に鋸歯状突起を備えたテーパ付き穴を含み、前記テーパ付き部分の前記鋸歯状突起が前記テーパ付き穴の前記鋸歯状突起と確実に係合する請求項８記載の後頭プレート。
【請求項１０】
前記テーパ付き穴の直径が裏面から前記前面へと増大する請求項９記載の後頭プレート。
【請求項１１】
前記クランププレートがファスナで前記ピボット部材に固定される請求項１０記載の後頭プレート。
【請求項１２】
前記脚部分が更にロッドを受容する第一くぼみを含み、前記クランププレートが更にロッドを受容する第二くぼみを含み、前記第一くぼみ及び第二くぼみが概して互いに対向する請求項７記載の後頭プレート。
【請求項１３】
前記第二くぼみが鋸歯状にされている請求項１２記載の後頭プレート。
【請求項１４】
前記下部中の前記骨ねじ穴が矩形整列で配置される請求項２記載の後頭プレート。
【請求項１５】
前記整列中の骨ねじ穴の少なくとも一つの群が前記脚部分の間に延びる前記プレートの中心軸線に沿って配置される請求項１４記載の後頭プレート。
【請求項１６】
前記上部中の前記骨ねじ穴が前記中心軸線上に配置される請求項１５記載の後頭プレート。
【請求項１７】
少なくとも二つの骨ねじ穴が同軸に配置される請求項２記載の後頭プレート。
【請求項１８】
前記ブシュが多軸角状を可能にする請求項２記載の後頭プレート。
【請求項１９】
前記プレートが少なくとも二つの概して平行な軸線に沿って曲げ可能である請求項１８記載の後頭プレート。
【請求項２０】
前記プレートが少なくとも二つの概して垂直な軸線に沿って曲げ可能である請求項１８記載の後頭プレート。
【請求項２１】
少なくとも一つのロッドクランプ部分及び骨ねじを受容するための少なくとも一つの穴を有するプレート部分を含み、そのロッドクランプ部分がポスト、前記ポストを受容するための穴を有するクランププレート、及び前記クランプを前記ポストに締付けるためのファスナを有する後頭プレートと、
少なくとも一つの骨ねじと、
少なくとも一つのロッドと
を含み、
前記ロッドが前記プレート部分と前記クランププレートの間に保持され、かつ前記ポストのまわりに旋回可能であることを特徴とする後頭骨頚固定系。
【請求項２２】
真直部分、曲がり部分、及び鋸歯状クランプ部分を含む後頭プレートへの取り付け用の予備曲げロッドであって、前記真直部分及び前記鋸歯状クランプ部分が互いに実質的に垂直に配置され、かつ前記鋸歯状クランプ部分及び前記曲がり部分が互いに対し約４５°の角度で配置されることを特徴とする予備曲げロッド。
【請求項２３】
前記鋸歯状クランプ部分が概して円筒形であり、かつ約９０°〜約１８０°の角度範囲にわたって周囲鋸歯状突起を含む請求項２２記載の予備曲げロッド。
【手続補正２】
【補正対象書類名】明細書
【補正対象項目名】００３０
【補正方法】変更
【補正の内容】
【００３０】
【図１】本発明の後頭プレートの正面図を示す。
【図２】その側面図を示す。
【図３】線ＩＩＩ−ＩＩＩに沿ってとられた図１の後頭プレート中の穴の部分断面側面図を示す。
【図４】クランププレートを取り付けていない図１の後頭プレートの別の正面図を示す。
【図４−Ａ】クランププレートを取り付けていない後頭プレートの付加的な実施形態の正面図を示す。
【図４−Ｂ】クランププレートを取り付けていない後頭プレートの付加的な実施形態の正面図を示す。
【図５】線Ｖ−Ｖに沿ってとられた図４の後頭プレートの脚部分の部分的断面側面図を示す。
【図６】図４の後頭プレートの脚部分の一部の部分的正面図を示す。
【図７】図４の後頭プレートの側面図を示す。
【図８】本発明のポストを示す。
【図９】挿入されたポストを含む図７の後頭プレートの側面図を示す。
【図１０】図９のポストの中心軸における断面図を示す。
【図１１】本発明のクランププレートの平面図を示す。
【図１２】本発明のクランププレートの底面図を示す。
【図１３】本発明のクランププレートの側面図を示す。
【図１４】本発明のクランププレートの部分的断面図を示す。
【図１５】本発明による使用のためのブシュの斜視図を示す。
【図１６】本発明による使用のためのブシュの平面図を示す。
【図１７】本発明による使用のためのブシュの線ＸＶＩＩ−ＸＶＩＩによる部分的断面図を示す。
【図１８】本発明による使用のためのブシュの線ＸＶＩＩＩ−ＸＶＩＩＩによる部分断面図を示す。
【図１９】本発明の右の予備曲げロッドの第一実施形態の正面図を示す。
【図１９−Ａ】本発明の左の予備曲げロッドの第一実施形態の正面図を示す。
【図２０】図１９の予備曲げロッドの側面図を示す。
【図２１】図２０の鋸歯状クランプ部分の側面図を示す。
【図２２】本発明の予備曲げロッドの第二実施形態の正面図を示す。
【図２３】本発明の予備曲げロッドの第二実施形態の側面図を示す。
【図２４】図１９−２３の予備曲げロッドの第一実施形態及び第二実施形態を含む後頭プレートを示す。
【図２５】本発明の後頭プレートの別の実施形態の正面図を示す。
【図２６】本発明の後頭プレートの別の実施形態の部分的断面側面図を示す。
【図２７】本発明の後頭プレートの更に別の実施形態の正面図を示す。
【図２８】本発明の後頭プレートの更に別の実施形態の側面図を示す。
【図２９】本発明の後頭プレートの更に別の実施形態の部分的断面側面図を示す。
【図３０】本発明の後頭プレートの付加的な実施形態の斜視図を示す。
【図３１】本発明の後頭プレートの付加的な実施形態の斜視図を示す。
【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
反芻動物のための飼料添加物であって、該飼料添加物は、２０〜６０ｇ／動物／日の毎日用量の非イオン性界面活性剤、および該飼料添加物中の界面活性剤の量に基づいて５０〜５０００ｐｐｍの抗酸化剤を含む、飼料添加物。
【請求項２】
反芻動物における飼料利用効率を増強する方法であって、該方法は、該動物の飼料に飼料添加物を添加する工程を包含し、該飼料添加物は、２０〜６０ｇ／動物／日の毎日用量の非イオン性界面活性剤、および該飼料添加物中の界面活性剤の量に基づいて、５０〜５０００ｐｐｍの抗酸化剤を含む、方法。
【請求項３】
前記非イオン性界面活性剤および前記抗酸化剤が、粒子状キャリア上にコーティングされている、請求項１に記載の飼料添加物、または請求項２に記載の方法。
【請求項４】
請求項１に記載の飼料添加物、または請求項２に記載の方法であって、前記非イオン性界面活性剤が、モノオレイン酸ポリオキシエチレンソルビタン、トリオレイン酸ポリオキシエチレンソルビタン、モノステアリン酸ポリオキシエチレンソルビタン、臭化アルキルトリメチルアンモニウム、臭化ドデシルトリメチルアンモニウム、臭化ヘキサデシルトリメチルアンモニウム、臭化混合アルキルトリメチルアンモニウム、臭化テトラデシルトリメチルアンモニウム、塩化ベンザルコニウム、塩化ベンゼトニウム、臭化ベンジルジメチルドデシルアンモニウム、臭化ベンジルジメチルヘキサデシルアンモニウム、塩化ベンジルトリメチルアンモニウム、ベンジルトリメチルアンモニウムメトキシド、臭化セチルピリジニミウム、塩化セチルピリジニミウム、臭化セチルトリブチルホスホニウム、臭化セチルトリメチルアンモニウム、臭化デカメトニウム、臭化ジメチルジオクタデシルアンモニウム、塩化メチルベンゼトニウム、塩化メチル混合トリアルキルアンモニウム、塩化メチルトリオクチルアンモニウム、ｎ，ｎ’，ｍｂ’−ポリエチレン（１０）−ｎ−牛脂−１，３−ジアミノ−プロパンおよび４−ピコリンドデシルスルフェートからなる群より選択される、飼料添加物または方法。
【請求項５】
請求項４に記載の飼料添加物または方法であって、前記非イオン性界面活性剤が、モノオレイン酸ポリオキシエチレンソルビタンおよびトリオレイン酸ポリオキシエチレンソルビタンからなる群より選択される、飼料添加物または方法。
【請求項６】
請求項３に記載の飼料添加物または方法であって、前記コーティングされた粒子状キャリアが、該粒子状キャリア基材、およびコーティングの合わせた重量に基づいて約１０％（重量／重量）〜約７０％（重量／重量）の界面活性剤を含む、飼料添加物または方法。
【請求項７】
請求項６に記載の飼料添加物または方法であって、前記コーティングされた粒子状キャリアが、該粒子状キャリア基材およびコーティングの合わせた重量に基づいて、約４０％（重量／重量）〜約６０％（重量／重量）の界面活性剤を含む、飼料添加物または方法。
【請求項８】
請求項１に記載の飼料添加物または請求項２に記載の方法であって、前記非イオン性界面活性剤が、前記飼料の乾燥重量の約０．０１％（ｗ／ｗ）〜１％（ｗ／ｗ）を構成する、飼料添加物または方法。
【請求項９】
請求項８に記載の飼料添加物または方法であって、前記非イオン性界面活性剤が、前記飼料の乾燥重量の約０．０１％（ｗ／ｗ）〜０．３％（ｗ／ｗ）を構成する、飼料添加物または方法。
【請求項１０】
請求項１に記載の飼料添加物または請求項２に記載の方法であって、前記抗酸化剤が、ブチル化ヒドロキシアニソール（ＢＨＡ）、ブチル化ヒドロキシトルエン（ＢＨＴ）、エトキシキン、没食子酸プロピル、ｔｅｒｔ−ブチルヒドロキノン（ＴＢＨＱ）およびトコフェロールからなる群より選択される、飼料添加物または方法。
【請求項１１】
請求項１０に記載の飼料添加物または方法であって、前記抗酸化剤が、前記飼料添加物中に使用される前記界面活性剤に基づいて、約１００ｐｐｍ〜約２０００ｐｐｍの量で存在する、飼料添加物または方法。
【請求項１２】
請求項３に記載の飼料添加物または方法であって、前記固体粒子状キャリアが、セライト、珪藻土およびシリカからなる群より選択される、飼料添加物または方法。
【請求項１３】
少なくとも１種の消化増強剤をさらに含む、請求項１に記載の飼料添加物または請求項２に記載の方法。
【請求項１４】
前記少なくとも１種の消化増強剤が、乳酸菌接種物である、請求項１３に記載の飼料添加物または方法。
【請求項１５】
前記少なくとも１種の消化増強剤が、モネンシンである、請求項１３に記載の飼料添加物または方法。
【手続補正書】
【提出日】平成16年10月26日(2004.10.26)
【手続補正１】
【補正対象書類名】明細書
【補正対象項目名】００５７
【補正方法】変更
【補正の内容】
【００５７】
本明細書中に引用されるすべての刊行物および特許出願は、あたかも各々個々の刊行物または特許出願が具体的かつ個別に参照として組み入れられることが示されるように、参照として本明細書中に組み入れられる。前述の発明は、理解を明確にする目的のために図面および実施例によっていくぶん詳細に記載されるが、特定の変更および改変が、添付の特許請求の範囲の精神または範囲から逸脱することなくなされ得ることは、本発明の開示に鑑みて、当業者には容易に理解される。
【配列表】
SEQUENCE LISTING                               
<110> Cortex Biochem, Inc.
<120> Magnetic Isolation and Purification of Nucleic Acids
<130> TO-A0314
<140> JP   2002-566667
<141> 2001-10-05
<150> US   60/269,729
<151> 2001-02-16
<160> 3                             
<170> PatentIn Ver. 2.1
<210> 1
<211> 20
<212> DNA
<213> Artificial Sequence
<220> 
<223> Description of Artificial Sequence:MS2 RT-PCR
Primer 1029F
<400> 1
ggagagacag ggcactgcta                                             20    
<210> 2
<211> 20
<212> DNA
<213> Artificial Sequence
<220> 
<223> Description of Artificial Sequence:MS2 RT-PCR
Primer 1096R
<400> 2
ttggccatac ggattgtacc                                             20    
<210> 3
<211> 24
<212> DNA
<213> Artificial Sequence
<220> 
<223> Description of Artificial Sequence:MS2 Probe 1052T
<400> 3
cccaaatctc agccatgcat cgag                                        24
【手続補正書】
【提出日】平成16年9月9日(2004.9.9)
【手続補正１】
【補正対象書類名】明細書
【補正対象項目名】特許請求の範囲
【補正方法】変更
【補正の内容】
【特許請求の範囲】
【請求項１】  フィルターまたは膜上に細胞を捕捉すること、
前記細胞を細胞膜透過溶液と接触させ、細胞膜の透過性を高めること、
細胞質を洗浄すること、
前記細胞質を洗浄した細胞を細胞溶解溶液と接触させ、核を溶解して、核溶液を得ること、
前記核溶液からＲＮＡを回収すること、および
前記回収したＲＮＡの量に基づいて細胞中の遺伝子発現を確認すること
を含む、細胞中の遺伝子発現の検出方法。
【請求項２】  前記フィルターまたは膜は、ガラス繊維膜である、請求項１に記載の方法。
【請求項３】  前記細胞膜透過溶液は、細胞膜を溶解するが核を溶解しない低刺激性洗浄剤である、請求項１または２に記載の方法。
【請求項４】  前記洗浄工程は、前記フィルターまたは膜上で実行される、請求項１〜３のいずれか一項に記載の方法。
【請求項５】  前記洗浄工程は、真空濾過により実行される、請求項１〜４のいずれか一項に記載の方法。
【請求項６】  前記細胞溶解溶液は、核膜を溶解する溶解緩衝液である、請求項１〜５のいずれか一項に記載の方法。
【請求項７】  前記溶解緩衝液は、強力洗浄剤を含む、請求項６に記載の方法。
【請求項８】  前記ＲＮＡ回収工程は、核の透過内容物をオリゴｄＴ固定化固体支持体に移すことにより実行される、請求項１〜７のいずれか一項に記載の方法。
【請求項９】  前記固体支持体は、プレート、フィルターまたはカラムである、請求項８に記載の方法。
【請求項１０】  前記ＲＮＡ回収工程は、核の透過内容物をオリゴヌクレオチド固定化固体支持体に移すことにより実行され、前記オリゴヌクレオチドは、ＲＮＡと相補的な配列を有する、請求項１〜９のいずれか一項に記載の方法。
【請求項１１】  （ａ）第１の生物学的試料から細胞を収集すること、
（ｂ）フィルターまたは膜上に前記細胞を捕捉すること、
（ｃ）前記細胞を細胞膜透過溶液と接触させ、細胞膜の透過性を増大させること、
（ｄ）細胞質を洗浄すること、
（ｅ）前記細胞質を洗浄した細胞を細胞溶解溶液と接触させ、核を溶解し、核溶液を得ること、
（ｆ）前記核溶液からＲＮＡを回収すること、
（ｇ）第２の生物学的試料からの細胞を用いて、工程（ａ）〜（ｆ）を反復すること、および
（ｈ）工程（ｆ）および（ｇ）それぞれで回収されたＲＮＡの量の変化に基づいて細胞中の遺伝子発現を確認すること
を含む、細胞中での遺伝子発現の測定方法。
【請求項１２】  指定された治療は、前記第２の試料には適用されたが、前記第１の試料には適用されていない、請求項１１に記載の方法。
【請求項１３】  フィルターまたは膜上に細胞を捕捉すること、
前記細胞を透過可能にして、核を単離すること、および
核膜を溶解して、核ＲＮＡを回収することを含む、細胞からのＲＮＡの単離方法。
【請求項１４】  前記フィルターまたは膜は、ガラス繊維膜である、請求項１３に記載の方法。
【請求項１５】  前記透過可能にすることは、低刺激性洗浄剤を適用することによる、請求項１３または１４に記載の方法。
【請求項１６】  前記核は、サイトゾルを洗い落とすことにより単離される、請求項１３〜１５のいずれか一項に記載の方法。
【請求項１７】  前記洗浄は、真空濾過によるものである、請求項１６に記載の方法。
【請求項１８】  前記ＲＮＡはｍＲＮＡである、請求項１３に記載の方法。
【請求項１９】  前記核膜を溶解することは、溶解緩衝液によるものである、請求項１３〜１７のいずれか一項に記載の方法。
【請求項２０】  前記溶解緩衝液は、強力洗浄剤を含む、請求項１９に記載の方法。
【請求項２１】  前記ｍＲＮＡを回収することは、オリゴｄＴプレート、フィルターまたはカラムに核の透過内容物を移すことによるものである、請求項１３〜２０のいずれか一項に記載の方法。
【請求項２２】    請求項１３〜２１のいずれか一項に記載の単離ＲＮＡを得ること、
前記プレート、フィルターまたは膜上でＲＮＡを逆転写すること、および
特定遺伝子に特異的なプライマーを用いてＰＣＲを実施すること
を含む、前記特定遺伝子の転写体の同定および／または定量化のための方法。
【請求項２３】    ＤＮＡ損傷剤で細胞を処理すること、
請求項１３〜２１のいずれか一項に記載の単離ｍＲＮＡを得ること、
前記ｍＲＮＡを逆転写すること、および
転写がＤＮＡ損傷により上方制御された遺伝子、または活性化された遺伝子を同定すること
を含む、ＤＮＡ修復過程に関与する遺伝子の同定または定量化方法。
【請求項２４】  前記同定は、ＲＴ−ＰＣＲ、ノーザンブロット、ＲＡＰ  ＰＣＲ、ｄｄＰＣＲ、サブトラクションおよびアレイまたは遺伝子チップ分析からなる群から選択される方法による、請求項２３に記載の方法。
【手続補正書】
【提出日】平成17年3月16日(2005.3.16)
【手続補正１】
【補正対象書類名】明細書
【補正対象項目名】発明の名称
【補正方法】変更
【補正の内容】
【発明の名称】食品に飾り付けをするための液体成分またはクリーム状成分用調量分配装置
【手続補正書】
【提出日】平成15年12月4日(2003.12.4)
【手続補正１】
【補正対象書類名】特許請求の範囲
【補正対象項目名】全文
【補正方法】変更
【補正の内容】
【特許請求の範囲】
【請求項１】
液状卵と、その中に加えられさらにその中で乳化される少なくとも１種のω−３脂肪酸とにより特徴とされる食品組成物。
【請求項２】
組成物１００ｇあたりω−３脂肪酸を１００〜１５００ｍｇ、好ましくは５００〜１０００ｍｇ含む、請求項１に記載の食品組成物。
【請求項３】
前記ω−３脂肪酸がエイコサペンタエン酸（ＥＰＡ）および／またはドコサヘキサエン酸（ＤＨＡ）を含み、好ましくは液状卵中で乳化された魚油によって提供されさらに１回分の食品組成物１２５ｇあたり０．６５〜１．５ｇのＥＰＡ＋ＤＨＡを提供する量で存在することを特徴とする、請求項１または２に記載の食品組成物。
【請求項４】
前記魚油が組成物の２〜５ｗｔ％の量で存在することを特徴とする、請求項３に記載の組成物。
【請求項５】
前記液状卵が卵白と卵黄を１００：１〜１：１００の重量比で含む、液状卵が液状卵白である、または液状卵が液状卵黄であることを特徴とする、請求項１〜４のいずれかに記載の組成物。
【請求項６】
乳化剤としてレシチン、食品用着色剤としてβカロチン、クエン酸、増粘剤としてキサンタンガム、卵黄香味料、および酸化に対する防腐剤としてαトコフェロールから選択される少なくとも１つのさらなる構成成分を含むことをさらなる特徴とする、請求項１〜５のいずれかに記載の組成物。
【請求項７】
レシチンの量が組成物の０．１〜０．２ｗｔ％、βカロチンの量が組成物の０．０４〜０．０８ｗｔ％、クエン酸の量が組成物の０．０４〜０．０８ｗｔ％、キサンタンガムの量が組成物の０．０３〜０．０７ｗｔ％である、および卵黄香味料の量が組成物の０．０２〜０．０４ｗｔ％であることを特徴とする、請求項６に記載の組成物。
【請求項８】
低温殺菌したまたは超低温殺菌した、請求項１〜７のいずれかに記載の組成物。
【請求項９】
食品組成物の製造方法であって、
液状卵中に少なくとも一種のω−３脂肪酸を加え、さらに該少なくとも一種のω−３脂肪酸を液状卵中で乳化することを含む方法。
【請求項１０】
前記液状卵が液状卵白と液状卵黄を含み、最初に卵黄と４０〜６０％の卵白を混ぜ合わせ、次いで卵白と卵黄の混合物に卵白の残りを混ぜ合わせることを特徴とする、請求項９に記載の方法。
【請求項１１】
前記卵白の残りを混合する間に、乳化剤、卵の全卵黄比率より低く使用する場合の食品用着色剤、クエン酸および増粘剤からなる群から選択される組成物の追加成分を少なくとも一種加える、請求項１０に記載の方法。
【請求項１２】
卵白の残りを加えた後に混合物に魚油のかたちでω―３脂肪酸を混ぜ入れることを特徴とする、請求項１１に記載の方法。
【請求項１３】
魚油の混合に続いて、製品を均質化し、好ましくは１００〜２０００ｐｓｉの圧力で行い、さらに低温殺菌し、その後に好ましくは低温殺菌した製品を冷蔵温度まで冷却し包装することを特徴とする、請求項１２に記載の方法。
【請求項１４】
前記低温殺菌ステップを、製品中のサルモネラ菌を少なくとも９Ｄで低減させる条件における温度および時間で行うことを特徴とする、請求項１３に記載の方法。
【請求項１５】
前記低温殺菌ステップを、超低温殺菌を達成する条件における温度および時間で行い、好ましくは６９℃で９０秒と６５℃で２１０秒との間で行われることを特徴とする請求項１３に記載の方法。
【手続補正書】
【提出日】平成16年1月5日(2004.1.5)
【手続補正１】
【補正対象書類名】特許請求の範囲
【補正対象項目名】全文
【補正方法】変更
【補正の内容】
【特許請求の範囲】
【請求項１】
栄養素および、食品組成物中に機能性を提供する少なくとも１つの成分を含む食品組成物であって、前記少なくとも１つの成分を、ケルダール窒素×６．２５により決められる少なくとも約１００％のタンパク質含量を有する実質的に非変性のカノーラタンパク質単離物により少なくとも部分的に置き換えることを特徴とする食品組成物。
【請求項２】
前記カノーラタンパク質単離物が、カノーラタンパク質ミセルの水性分散物から固相を沈降させることにより形成される無定形タンパク質塊の状態であることを特徴とする請求項１に記載の食品組成物。
【請求項３】
前記無定形タンパク質塊が乾燥状態で利用されることを特徴とする請求項２に記載の食品組成物。
【手続補正書】
【提出日】平成15年4月30日(2003.4.30)
【手続補正１】
【補正対象書類名】明細書
【補正対象項目名】０２０８
【補正方法】変更
【補正の内容】
【０２０８】
クローン1〜7の標的配列を、それぞれ配列番号：61〜67と呼ぶ。
【配列表】
2004519211.tif 000001
2004519211.tif 000002
2004519211.tif 000003
2004519211.tif 000004
2004519211.tif 000005
2004519211.tif 000006
2004519211.tif 000007
2004519211.tif 000008
2004519211.tif 000009
2004519211.tif 000010
2004519211.tif 000011
2004519211.tif 000012
2004519211.tif 000013
2004519211.tif 000014
2004519211.tif 000015
2004519211.tif 000016
2004519211.tif 000017
2004519211.tif 000018
2004519211.tif 000019
2004519211.tif 000020
2004519211.tif 000021
2004519211.tif 000022
2004519211.tif 000023
2004519211.tif 000024
2004519211.tif 000025
2004519211.tif 000026
2004519211.tif 000027
2004519211.tif 000028
2004519211.tif 000029
2004519211.tif 000030
2004519211.tif 000031
2004519211.tif 000032
2004519211.tif 000033
2004519211.tif 000034
2004519211.tif 000035
2004519211.tif 000036
2004519211.tif 000037
2004519211.tif 000038
2004519211.tif 000039
2004519211.tif 000040
2004519211.tif 000041
2004519211.tif 000042
2004519211.tif 000043
2004519211.tif 000044
2004519211.tif 000045
2004519211.tif 000046
2004519211.tif 000047
【手続補正書】
【提出日】平成15年6月19日(2003.6.19)
【手続補正１】
【補正対象書類名】明細書
【補正対象項目名】特許請求の範囲
【補正方法】変更
【補正の内容】
【特許請求の範囲】
【請求項１】
第一部分球体および第二部分球体を含むゴルフ補助器具であって、該第一および第二部分球体は、それぞれ、同じ半径を有し、そして半球より大きい球体部分を含み、該部分球体は、円形の弦に沿って互いに隣接しており、そして共軸を共有している、ゴルフ補助器具。
【請求項２】
前記部分球体の各々が、接点を有し、該接点において、該球体に対する接線が、前記共軸に平行であり、そして該部分球体の該接点が、４ミリメートルと２０ミリメートルの間の間隔で離れて位置している、請求項１に記載のゴルフ補助器具。
【請求項３】
さらに、表示リングを含み、該表示リングが、前記円形の弦に近接しており、該円形の弦において、前記部分球体が隣接している、請求項１に記載のゴルフ補助器具。
【請求項４】
さらに、内部カップリング部材を含み、該内部カップリング部材が、前記第一および第二部分球体の各々に延びている、請求項１に記載のゴルフ補助器具。
【請求項５】
前記部分球体の各々が、接点を含み、該接点において、該球体に対する接線が、前記共軸に平行であり、ここで、該接点間の距離が、調節可能である、請求項１に記載のゴルフ補助器具。
【請求項６】
表面にディンプルを含み、該ディンプルが、前記ゴルフ補助器具の１半体が他の半体を鏡映するように位置している、請求項１に記載のゴルフ補助器具。
【請求項７】
ゴルフ補助器具を製造する方法であって、該方法は、以下：
２個のゴルフボールの各々から１つの面または部分を取り除いて、２個の部分的に球体の末端を作製する工程であって、各々は、切断面を有する、工程；および
該切断面で、前記２個の部分的に球体の末端を共に固着する工程、
を包含する、方法。
【請求項８】
前記固着する工程が、接着する工程を包含する、請求項７に記載の方法。
【請求項９】
前記固着する工程が、前記部分球体末端の各々に内部カップリング部材を挿入する工程を包含する、請求項７に記載の方法。
【請求項１０】
前記２個の部分的に球体の末端が共に固着される接合部に、表示リングを装着する工程をさらに包含する、請求項７に記載の方法。
【請求項１１】
前記末端を共に固着する前に、前記切断面の周囲の周りに溝部を形成する工程をさらに包含する、請求項７に記載の方法。
【請求項１２】
ゴルフ補助器具を製造する方法であって、該方法は、以下：
ａ）コアを製造する工程であって、該コアは、第一部分球体および第二部分球体を含む、工程；および
ｂ）該コアに弾性被覆を塗布する工程、
を包含する、方法。
【請求項１３】
ゴルフ補助器具を使用して、ゴルフストロークを練習する方法であって、該方法は、以下：
第一部分球体および第二部分球体を含むゴルフ補助器具を提供する工程であって、該第一および第二部分球体は、それぞれ、同じ半径を有し、そして半球より大きい球体部分を含み、該部分球体は、円形の弦に沿って互いに隣接しており、そして共軸を共有している、工程；および
該ゴルフ補助器具をゴルフクラブで打つ工程、
を包含する、方法。
【請求項１４】
ゴルフ補助器具を使用して、ゴルフストロークを教授または指導する方法であって、該方法は、以下：
第一部分球体および第二部分球体を含むゴルフ補助器具を提供する工程であって、該第一および第二部分球体は、それぞれ、同じ半径を有し、そして半球より大きい球体部分を含み、該部分球体は、円形の弦に沿って互いに隣接しており、そして共軸を共有している、工程；および
ゴルファーまたは将来のゴルファーに、該ゴルフ補助器具をゴルフクラブで打つように指導する工程、
を包含する、方法。
【請求項１５】
前記ゴルフストロークが、パット、チッピングまたはドライブからなる群から選択される、請求項１３または１４に記載の方法。
【請求項１６】
ゴルフ補助器具を使用してゴルフストロークを練習するためのキットであって、該キットは、以下：
第一部分球体および第二部分球体を含むゴルフ補助器具であって、該第一および第二部分球体は、それぞれ、同じ半径を有し、そして半球より大きい球体部分を含み、該部分球体は、円形の弦に沿って互いに隣接しており、そして共軸を共有している、ゴルフ補助器具；および
該ゴルフ補助器具をゴルフクラブで打つことを指示する、指示書、
を備える、キット。
【請求項１７】
ゴルフ補助器具を使用してゴルフストロークを教授または指導するためのキットであって、該キットは、以下：
第一部分球体および第二部分球体を含むゴルフ補助器具であって、該第一および第二部分球体は、それぞれ、同じ半径を有し、そして半球より大きい球体部分を含み、該部分球体は、円形の弦に沿って互いに隣接しており、そして共軸を共有している、ゴルフ補助器具；および
ゴルファーまたは将来のゴルファーに、該ゴルフ補助器具をゴルフクラブで打つように指示する、指示書、
を備える、キット。
【請求項１８】
前記ゴルフストロークが、パット、チッピングまたはドライブからなる群から選択される、請求項１６または１７に記載のキット。
【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】  表面に接着した伸張除去性接着剤物品を提供する工程であって、前記物品が既定ダブ付き裏地および前記裏地上に配置された感圧接着剤層を含み、前記既定タブが前記裏地の中心部分に位置することを特徴とする工程と；
前記表面から前記物品を除去するのに十分な量で前記接着剤物品を伸張するために前記タブを引っ張る工程と；
を含む、表面から物品を除去する方法。
【請求項２】  裏地と前記裏地上に配置された伸張除去性感圧接着剤層とを含む、皮膚に接着した医療物品を提供する工程と；
前記裏地から前記接着剤層を離層するとともに前記皮膚から前記医療物品を除去するのに十分な量で前記医療物品を伸張する工程と；
を含む皮膚から医療物品を除去する方法である、請求項１に記載の方法。
【請求項３】  前記医療物品を伸張する工程が、前記医療物品を接着している前記皮膚の平面に実質的に平行な方向に前記医療物品を伸張することを含む請求項２に記載の方法。
【請求項４】  前記接着剤層の破断点伸張性が少なくとも３００％である請求項３に記載の方法。
【請求項５】  前記接着剤層の破断点伸張性は８００％以下である請求項４に記載の方法。
【請求項６】  前記接着剤層の破断点伸張性が裏地の伸張性より少なくとも１０％大きい請求項３に記載の方法。
【請求項７】  前記接着剤層がポリ（メタ）アクリレートを含む請求項２に記載の方法。
【請求項８】  裏地と前記裏地上に配置された伸張除去性感圧接着剤層とを含む医療物品であって、前記裏地および前記接着剤層が、前記接着剤層の伸張性が同じ張力下で前記裏地の伸張性より大きいように選択され、前記接着剤層および裏地が皮膚から除去される時に離層する医療物品。
【請求項９】  前記接着剤層の破断点伸張性が少なくとも３００％である請求項８に記載の医療物品。
【請求項１０】  前記接着剤層の破断点伸張性が裏地の伸張性より少なくとも１０％大きい請求項８に記載の医療物品。
【請求項１１】  前記接着剤層がポリ（メタ）アクリレートを含む請求項８に記載の医療物品。
【請求項１２】  裏地を提供する工程と；
前記裏地上に配置された伸張除去性感圧接着剤層の伸張性が同じ張力下で前記裏地の伸張性より大きいように前記接着剤層を選択する工程と；
皮膚から除去される時に前記接着剤層および裏地が離層することを可能にする温度および圧力の条件下で前記裏地および感圧接着剤層を互いに貼合せる工程と；
を含む医療物品を製造する方法。
【請求項１３】  既定タブ付き裏地および前記タブの表面とは反対側の裏地の主表面上に配置された感圧接着剤を含む伸張除去性接着剤物品であって、前記既定タブが前記裏地の中心部分に位置する、請求項８に記載の医療物品。
【手続補正書】
【提出日】平成17年3月10日(2005.3.10)
【手続補正１】
【補正対象書類名】特許請求の範囲
【補正対象項目名】請求項４
【補正方法】変更
【補正の内容】
【請求項４】
器具および培地の高温滅菌なしで前記微生物株の培養を実施することを特徴とする請求項２に記載の方法。
【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】  患者の血液から選択された化合物を取り出すための自動化システムであって、以下：
（ａ）滅菌された、予め組み立てられた、使い捨て流体回路であって、以下：
（ｉ）患者から血液を取り出すための手段、
（ｉｉ）血液から血液成分を分離するための第１副チャンバを備える、該取り出す手段と流体連絡する分離チャンバ、
（ｉｉｉ）化合物枯渇血液成分を提供するために、該血液成分から選択された化合物を抽出するように適合された溶媒を含む、容器、
（ｉｖ）該血液成分を該溶媒と合わせるための手段、
（ｖ）該血液成分と該溶媒との組み合わせを、第１の相および第２の相へと分離するための第２の副チャンバを有する該分離チャンバであって、該第１の相は、該化合物枯渇血液成分を実質的に含み、該第２の相は、該溶媒および該化合物を実質的に含む、該分離チャンバ、
（ｖｉ）該化合物枯渇成分から溶媒を除去する溶媒除去手段、
（ｖｉｉ）予め形成された流路セグメントを内部に有し、かつ該流体回路を流れる流体と流体連絡するための導入ポートおよび排出ポートを有する流れ制御カセットであって、該流路セグメントは、該流路セグメント間の連絡を制御するための弁ステーションによって分離されている、流れ制御カセット、および
（ｖｉｉｉ）該化合物枯渇血液成分を、該患者に戻すための手段、
を備える、使い捨て流体回路；ならびに
（ｂ）該流体回路を協働可能に受容するよう適合された、再使用可能なモジュールであって、該再使用可能モジュールは、以下：
該分離チャンバに協働可能に付随する、該血液の残りの部分からの該血液成分の分離を実施するための手段、および
該弁ステーションと協働するための手段であって、該カセットの該予め形成された流路を通る流体の流れを制御する、手段
を備える、再使用可能モジュール、
を備える、システム。
【請求項２】  前記血液が、血漿を含む、請求項１に記載のシステム。
【請求項３】  前記分離を実施する手段が、回転可能な遠心機を含む、請求項１に記載のシステム。
【請求項４】  前記流れ制御カセットが、前記流路セグメントを通る流体をポンピングするためのポンプステーションをさらに備える、請求項１に記載のシステム。
【請求項５】  患者の血液から選択された化合物を取り出すための自動化システムであって、以下：
（ａ）滅菌された、予め組み立てられた、使い捨て流体回路であって、以下：
（ｉ）患者から血液を取り出すための手段、
（ｉｉ）血液から、該化合物を含む血液成分を分離するための第１の分離原理に基づく、該取り出す手段と流体連絡する第１の分離手段、
（ｉｉｉ）化合物枯渇血液成分を提供するために、該血液成分から該化合物を抽出するように適合された溶媒を含む、容器、
（ｉｖ）該溶媒を該血液成分と合わせるための手段、
（ｖ）該血液成分と該溶媒との組み合わせを、第１の相および第２の相へと分離するための、第２の分離原理に基づく第２の分離手段であって、該第１の相は、該化合物枯渇血液成分を実質的に含み、該第２の相は、該溶媒および該化合物を実質的に含む、第２の分離手段、
（ｖｉ）該化合物枯渇成分から溶媒を除去する溶媒除去手段、
（ｖｉｉ）該流体回路を通る流れを制御するための流れ制御カセットであって、該カセットは、予め形成された流路セグメントを内部に有し、かつ該流体回路を流れる流体と流体連絡するための導入ポートおよび排出ポートを有し、該流路セグメントは、該流路セグメント間の連絡を制御するための弁ステーションによって分離されている、流れ制御カセット、および
（ｖｉｉｉ）該化合物枯渇血液成分を、該患者に戻すための手段、
を備える、使い捨て流体回路；ならびに
（ｂ）該流体回路を協働可能に受容するよう適合された、再使用可能なモジュールであって、該再使用可能モジュールは、以下：
該弁ステーションと協働するための手段であって、該カセットの該予め形成された流路を通る流体の流れを制御する、手段
を備える、再使用可能モジュール、
を備える、システム。
【請求項６】  前記再使用可能モジュールが、遠心分離器をさらに備える、請求項５に記載のシステム。
【請求項７】  前記第１の分離手段が膜を備え、そして前記第２の分離手段が、前記分離器と共同して使用するためのチャンバを備える、請求項６に記載のシステム。
【請求項８】  前記第１の分離手段が、前記分離器と共同して使用するためのチャンバを備える、請求項６に記載のシステム。
【請求項９】  前記容器が、血漿から脂質を抽出するための溶媒を含む、請求項１に記載のシステム。
【請求項１０】  前記溶媒は、ジイソプロピルエーテルである、請求項９に記載のシステム。
【請求項１１】  前記溶媒除去手段が、洗浄溶液を備える、請求項１に記載のシステム。
【請求項１２】  前記洗浄溶液が、容器内において前記分離チャンバと流体連絡する、請求項１１に記載のシステム。
【請求項１３】  前記溶媒除去手段が、第２の分離手段を備える、請求項１に記載のシステム。
【請求項１４】  前記第２の分離手段が、血液から前記血液成分を分離するために使用される前記分離原理と異なる分離原理を使用する、請求項１３に記載のシステム。
【請求項１５】  血液から前記血液成分を分離するために使用される前記分離原理は遠心分離であり、前記第２の分離手段が遠心分離を使用する、請求項１３に記載のシステム。
【請求項１６】  前記第２の分離手段が、前記溶媒に対して親和力を有する被覆ビーズを充填されたカラムを備える、請求項１３に記載のシステム。
【請求項１７】  前記第２の分離手段が、フィルタを備える、請求項１３に記載のシステム。
【請求項１８】  前記容器が、血漿から脂質を抽出するための溶媒を含む、請求項５に記載のシステム。
【請求項１９】  前記溶媒は、ジイソプロピルエーテルである、請求項１８に記載のシステム。
【請求項２０】  前記溶媒除去手段が、洗浄溶液を備える、請求項５に記載のシステム。
【請求項２１】  前記洗浄溶液が、容器内において前記分離チャンバと流体連絡する、請求項２０に記載のシステム。